(57)【要約】      （修正有）【課題】バッグの剛性を低下することなく容量を拡張すること。【解決手段】フレーム部材と右本体１０１及び左本体１０２との間に伸縮機構１を設ける。この伸縮機構１は非可撓性の複数の板体２から構成され、板体２の長辺同士は回転軸３により連結される。また、板体２とフレーム部材も同様の回転軸３で連結され、板体２と右本体１０１及び左本体１０２も回転軸３で連結される。回転軸３は、右本体１０１及び左本体１０２、フレーム部材の端縁の辺と平行に配置される。フレーム部材と右本体１０１及び左本体１０２の端縁にはファスナーが設けられる。バッグ１００の非拡張時にはファスナーで右本体１０１及び左本体１０２がフレーム部材に連結される。バッグ１００の拡張時にはファスナーを外して右本体１０１及び左本体１０２を引き出す。伸縮機構１は非可撓性の板体２により構成され回転軸３で連結しているので、バッグ１００全体が撓んだり捩じれたりしない。【選択図】図１
2015054128.tif 000002
【特許請求の範囲】
【請求項１】
環状のフレームと、
当該フレームの周縁に対応した形状の開口を収納側に有する箱状の本体と、
前記フレーム及び本体の間に設けられ且つ複数の非可撓性の板体が回転軸で連結されると共に前記板体が前記フレーム及び本体に対して回転軸で連結され、当該回転軸が前記フレーム及び本体の端縁と略平行になる伸縮機構と、
を備えたことを特徴とするバッグ。
【請求項２】
前記板体は、折り畳み状態でフレームと本体との間から内側に突出することを特徴とする請求項１に記載のバッグ。
【請求項３】
前記伸縮機構は、前記板体が前記回転軸で連結されて蛇腹状に構成されることを特徴とする請求項1又は２に記載のバッグ。
【請求項４】
前記伸縮機構は、前記板体の面上にロック機構を設け、当該板体に折り畳み時に重なる他の板体に、前記ロック機構を逃がす穴を設けたことを特徴とする請求項１〜３のいずれか一つに記載のバッグ。
【発明の詳細な説明】
【技術分野】
【０００１】
本発明は、容積を拡張できるバッグに関するものである。
【背景技術】
【０００２】
従来から、特許文献１に記載されているようなスーツケースが知られている。このスーツケースは、箱体と蓋体とをマチ付きファスナーで連結した構造である。このマチ付きファスナーは、ファスナーのエレメントとエレメントとの間であってスーツケース内側にマチが設けられた構造であり、当該ファスナーを開くことにより、マチの分だけスーツケースの容量が増すことができる。
【先行技術文献】
【特許文献】
【０００３】
【特許文献１】実用新案登録３１８２７１０号公報
【発明の概要】
【発明が解決しようとする課題】
【０００４】
しかしながら、上記従来のスーツケースでは、マチが布等の自由に変形する素材により構成されるため、容量を増加させた際、スーツケース全体として剛性が低くなるという問題点があった。特に、底部にキャスターを設ける場合、マチの幅を大きくすると、スーツケース全体が撓んでしまうという問題点があった。本発明は、係る問題点を解決するためになされたものである。
【課題を解決するための手段】
【０００５】
本発明のバッグは、環状のフレームと、当該フレームの周縁に対応した形状の開口を収納側に有する箱状の本体と、前記フレーム及び本体の間に設けられ且つ複数の非可撓性の板体が回転軸で連結されると共に前記板体が前記フレーム及び本体に対して回転軸で連結され、当該回転軸が前記フレーム及び本体の端縁と略平行になる伸縮機構とを備えたことを特徴とする。
【０００６】
また、本発明のバッグは、上記発明において、前記板体は、折り畳み状態でフレームと本体との間から内側に突出することを特徴とする。
【０００７】
また、本発明のバッグは、上記発明において、前記伸縮機構は、前記板体が前記回転軸で連結されて蛇腹状に構成されることを特徴とする。
【０００８】
また、本発明のバッグは、上記発明において、前記伸縮機構は、前記板体の面上にロック機構を設け、当該板体に折り畳み時に重なる他の板体に、前記ロック機構を逃がす穴を設けたことを特徴とする。
【図面の簡単な説明】
【０００９】
【図１】この発明の実施の形態１に係るバッグを示す側面図であり拡張状態を示す。
【図２】図１に示したバッグの上面図であり拡張状態を示す。
【図３】図１に示したバッグの側面図であり閉じた状態を示す。
【図４】図１に示したバッグの上面図であり閉じた状態を示す。
【図５】図１に示したバッグの断面図である。
【図６】この発明の実施の形態２に係るバッグを示す側面図であり拡張状態を示す。
【図７】図６に示したバッグ上面図であり拡張した状態を示す。
【図８】伸縮機構を示す平面図である。
【図９】この発明の実施の形態３に係るバッグを示す側面図であり拡張状態を示す。
【図１０】図９に示したバッグの上面図であり拡張状態を示す。
【図１１】図９に示したバッグの側面図であり閉じた状態を示す。
【図１２】図９に示したバッグの上面図であり閉じた状態を示す。
【図１３】図９に示したバッグの断面図である。
【図１４】この発明の実施の形態４に係るバッグを示す側面図であり拡張状態を示す。
【図１５】図１４に示したバッグの側面図であり拡張状態を示す。
【発明を実施するための形態】
【００１０】
（実施の形態１）
図１は、この発明の実施の形態１に係るバッグを示す側面図であり拡張状態を示す。図２は、図１に示したバッグの上面図であり拡張状態を示す。図３は、図１に示したバッグの側面図であり閉じた状態を示す。図４は、図１に示したバッグの上面図であり閉じた状態を示す。図５は、図１に示したバッグの断面図である。このバッグ１００は、所定容量の衣服類その他を収納、保管するソフトキャリー又はハードキャリー等のバッグ１００である。当該バッグ１００は、右本体１０１及び左本体１０２をフレーム１０３の左右に備えた構造である。
【００１１】
前記フレーム１０３は、両側に２つの長方形環状の開閉用のフレーム部材１３１，１３２が連結され、側枠の一方側（横置き時に下になる側）で図示しない蝶番により開閉可能となる。上枠にはハンドル１０４が回転可能状態で連結される。側枠の一方には、ハンドル１０６が回転可能状態で連結され且つ前記ハンドル１０６の両側にロック機構１０７が設けられている。当該ロック機構１０７は、バッグ１００を閉じたときにフレーム部材１３１とフレーム１０３とをロックするためのものである。当該ロック機構１０７は、公知の内部構造が採用され同図に示す構造に限定されない。フレーム１０３及びフレーム部材１３１は、アルミニウム製又は強化プラスチック製である。
【００１２】
前記右本体１０１は、樹脂製又はアルミニウム製の成形された箱状体である。収納側（外側平面とは反対側）は、前記フレーム部材１３１の周縁の形状に対応した形状となる開口が設けられる。右本体１０１の底壁の左右にはキャスター１０５が設けられる。キャスター１０５は、公知のものを採用でき同図に示したものに限定されない。
【００１３】
右本体１０１の上壁、側壁及び底壁の端縁と前記フレーム１０３の端縁との間には、蝶番型の伸縮機構１が設けられている。具体的には、右本体１０１の上壁とフレーム部材１３１の上枠との間に設けられた上部伸縮機構１は２枚の板体２を並設してなり、これら板体２同士はその端縁に設けた回転軸３により回転可能に連結される。より詳細には、板体２の端縁は筒状に成形され且つ筒状部分に嵌り合う凹凸が前記端縁方向に形成され、隣接する板体２の端縁に同様に形成した筒状部分の凹凸が嵌り、これにより両板体２の筒状部分が前記端縁方向で直線状に並び、この筒状部分に金属製の棒材が挿通されて連結構造を構成する。なお、板体２と板体２との間を市販の複数の蝶番または長い蝶番で連結して当該蝶番の回転軸３を前記回転軸３として構成しても良い（図示省略）。
【００１４】
右側の板体２の端縁と右本体１０１の上壁の端縁とは上記同様にファスナー４により可撓回転可能に連結される。左側の板体２の端縁とフレーム部材１３１の上枠の端縁とも、同様にファスナー４により可撓回転可能に連結される。回転軸３及びファスナー４は右本体１０１をフレーム１０３に対して伸縮（拡張動作）させるため、右本体１０１の端縁およびフレーム１０３の端縁と平行となる。板体２は、アルミニウム、強化プラスチック、カーボンファイバー等の剛性が高い非可撓性の素材を用いる。板体２の厚さは、非可撓性を得られる程の厚さとし、素材により適宜決定する。
【００１５】
右本体１０１の底壁とフレーム部材１３１の底枠との間についても前記同様の構造の底部伸縮機構１が上記同様の連結構造により設けられる。右本体１０１の側壁とフレーム部材１３１の側枠との間も前記同様の構造の側部伸縮機構１が上記同様の連結構造により設けられる。
【００１６】
各板体２は短冊形状でありその短辺側が傾斜している。前記板体２同士を連結する側の長辺は、板体２がフレーム１０３及び右本体１０１と連結する側の長辺より短い。２枚の板体２を開いた状態で前記短辺は「く」の字形状になる。
【００１７】
上部伸縮機構１及び側部伸縮機構１の角部分であって右本体１０１の上壁角とフレーム１０３の上枠角との間には角部伸縮機構５が設けられている。角部伸縮機構５は、台形の２枚の角板体５１を並設してなり、角板体５１同士は当該角板体５１の端縁に設けた回転軸５２により回転可能に連結される。また、右側の角板体５１の端縁と右本体１０１の上壁角の端縁も、前記同様にファスナー５３により回転可能に連結される。左側の板体２の端縁とフレーム１０３の上枠角の端縁も、前記同様に回転軸５２により回転可能に連結される。かかる角部伸縮機構５は、バッグ１００の右本体１０１の四隅の角に設けられる。
【００１８】
また、角板体５１と板体２との間に形成される隙間には、柔軟性のある保護布５５が設けられる。拡張時には保護布５５が拡がり前記隙間を保護する。折り畳み時には保護布５５は板体２及び角板体５１に従動して畳まれる。なお、角部伸縮機構５は、前記角板体５１等を省略して強度のある布のみでカバーするように構成しても良い（下記実施の形態２〜４において同様）。
【００１９】
なお、前記伸縮機構１からなる拡張部分には、布等の伸縮性の素材による被覆層を設けるようにしても良い。また、前記ファスナー４の他、公知のキャッチロック等により右本体１０１とフレーム部材１３１を連結しても良い（図示省略）。
【００２０】
なお、右本体１０１の平面部側には、牽引時に用いる伸縮式のハンドル機構１０８が設けられている。このハンドル機構１０８は、公知の構造を採用でき、同図に示したものに限定されない。
【００２１】
前記左本体１０２は、フレーム１０３を対称として、上記右本体１０１と同じ構造である。なお、牽引時に用いる前記ハンドル機構１０８は設けられていない。
【００２２】
次に、このバッグ１００の動作を説明する。通常状態では、右本体１０１及び左本体１０２がフレーム部材１３１にファスナーにより連結し、板体２及び角板体５１がバッグ１００内部で折り畳まれている。板体２及び角板体５１はバッグ１００の内側に突出するように折り畳まれてフレーム部材１３１の端縁からバッグ１００内側に突出する。突出方向はバッグ１００の平面部に略平行である。このため、板体２及び角板体５１は、右本体１０１及び左本体１０２とフレーム部材１３１との仕切りとして機能するので、右本体１０１又は左本体１０２を開いた際に内容物が外に出るのを防止する。板体２及び角板体５１の幅が大きいほど仕切りとしての機能が高くなる。また、板体２及び角板体５１は、回転軸３により支持されるので、折り畳んだ状態でフラップ状に搖動する。このため、荷物を詰めるときに便利であり、荷物を抑え付けて固定する機能も有する。
【００２３】
バッグ１００を拡張する場合、前記ファスナー４を開いて右本体１０１又は左本体１０２をフレーム部材１３１から切り離し、右本体１０１又は左本体１０２を引き出す。これにより、板体２及び角板体５１が回転軸３を中心として開き、右本体１０１又は左本体１０２が伸びてバッグ１００の右側又は左側の容量が拡張される。板体２は、右本体１０１及び左本体１０２の端縁にファスナー４により接続されるので撓む方向に変形しない。また、当該板体２が補強材として機能して撓みや捩じれを防止する。即ち、バッグ１００は、伸縮構造により剛性を保った状態で拡張する。このため、キャスター１０５でバッグ１００を立てた場合でも、バッグ１００全体が変形することがないので、安定して取り扱うことができる。
【００２４】
バッグ１００を開くには、フレーム１０３のロック機構１０７を外し、フレーム１０３に設けた蝶番を中心として左右に開く。これにより、右本体１０１又は左本体１０２と連結しているフレーム部材１３１がフレーム１０３から分離して開き、右本体１０１又は左本体１０２が開口する。右本体１０１又は左本体１０２を拡張していない場合、バッグ１００を開いた状態で板体２及び角板体５１が内側に突出しているので収納物がこぼれ出ない。右本体１０１又は左本体１０２を拡張している場合、バッグ１００を開いた状態で板体２は突出しないが、右本体１０１又は左本体１０２の奥行が確保できるので、収納物がこぼれ出ない。
【００２５】
バッグ１００を閉じるときは、右本体１０１又は左本体１０２を前記蝶番を中心にして閉じ、フレーム１０３とフレーム部材１３１をロック機構１０７によりロックする。
【００２６】
なお、板体２同士、板体２と前記右本体１０１又は左本体１０２、板体２とフレーム部材１３１の連結は、上記ファスナーではなく回転軸や厚手の布による連結形態を採用できる（図示省略）。即ち、端縁同士が回転軸や布により連結されるので、板体２同士や板体２と右本体１０１、左本体１０２及びフレーム部材１３１が回転可能になる。また、板体２と回転軸３の心棒にねじりコイルばねを通し、ねじりコイルばねから外側に延出するアームを板体２に固定することで、板体２同士が、ねじりコイルばねにより開く方向に付勢されるようにしても良い。このようにすれば、フレーム１０３から右本体１０１又は左本体１０２を外して拡張する際、右本体１０１又は左本体１０２が自動的に移動するように付勢されるので、右本体１０１又は左本体１０２を拡張しやすくなる（下記実施の形態２〜４において同様）。
【００２７】
（実施の形態２）
図６は、この発明の実施の形態２に係るバッグを示す側面図であり拡張した状態を示す。図７は、図６に示したバッグ上面図であり拡張した状態を示す。図８は、伸縮機構を示す平面図であり長いほうの構成を示す（短いほうの構成も同じである）。この実施の形態２に係るバッグ２００は、上記実施の形態１に係るバッグ１００の伸縮機構１を蛇腹状に形成した点に特徴があり、その他の右本体１０１、左本体１０２及びフレーム１０３の構造は実施の形態１のバッグ１００と同じであるからその説明を省略する。
【００２８】
伸縮機構２０１を構成する４枚の板体２０２は短冊状であり、各板体２０２は回転軸３により連結されている。伸縮機構２０１を構成する両側の板体２０２は、右本体１０１及び左本体１０２に対して回転軸３により連結する。回転軸３の構成は上記実施の形態１と同様である。また、回転軸３により連結するに伴い、短冊状の取付板２０３が回転軸３を介して伸縮機構２０１の端部に設けられ、この取付板２０３が右本体１０１及び左本体１０２に対してボルト固定される。
【００２９】
４枚の板体２０２により蛇腹状に伸縮することで、板体２０２を折り畳んだ状態でバッグ２００の内側に突出する部分が実施の形態１のバッグ１００に比べて小さくなる。角板体２５１も、前記板体２０２と同様に４枚から構成され、各角板体２５１は回転軸５２により連結される。角板体２５１は台形でありバッグ２００内側に突出する辺が短辺となる。
【００３０】
このように、蛇腹状の伸縮機構２０１によれば、拡張量を大きくでき且つ板体２０２及び角板体２５１が内部に突出する部分を小さくできる。その他、実施の形態１のバッグ１００と同様の作用効果を有する。
【００３１】
（実施の形態３）
図９は、この発明の実施の形態３に係るバッグを示す側面図であり拡張状態を示す。図１０は、図９に示したバッグの上面図であり拡張状態を示す。図１１は、図９に示したバッグの側面図であり閉じた状態を示す。図１２は、図９に示したバッグの上面図であり閉じた状態を示す。図１３は、図９に示したバッグの断面図である。このバッグ３００は、実施の形態１と略同じ構成であるが、ロック機構１０７の代わりにファスナーでバッグ３００を開閉する構造である点が異なる。即ち、前記フレームを構成するフレーム部材３０１，３０２の端縁にファスナー３０４が設けられ、任意の位置で開口可能となる。
【００３２】
また、左本体１０２の上部には、ロック機構３０７が設けられる。ファスナー３０４のスライダの取っ手３０５は、ロック機構３０７により固定される。ロック機構３０７には、取っ手３０５を挿入する穴が設けられ、この穴内には筐体内部でスライドするフックが設けられる。このフックは、筐体両側のボタンで開閉動作し、筐体上部のキーで当該ボタンの動作の規制を行う。２つのスライダの取っ手３０５を穴に挿入してロック機構３０７でロックすることで、右本体１０１及び左本体１０２の開閉のロックが可能となる。これらのロック機構３０７及び取っ手３０５は公知の構造を採用できる。
【００３３】
更に、このバッグ１００では、左本体１０２の上部に設けた板体２の面上のフレーム１０３側にロック機構１０７を設け、左本体１０２側の板体２を折り畳んだ状態で当該ロック機構１０７が貫通して逃げる逃げ穴３１０を設けている。即ち、左本体１０２を拡張していない状態では、前記ロック機構１０７が折り畳んだ状態で重なる板体２に設けた逃げ穴３１０に入り、左本体１０２内部に露出する。左本体１０２を拡張した場合、当該ロック機構１０７は板体２の上に現れる。そして、摘みをバッグ１００の上部に位置させて当該ロック機構１０７に装着しロックする。
【００３４】
このようにすれば、バッグ１００の非拡張時および拡張時のいずれにおいても、バッグ１００のロックが可能になる。また、バッグ１００拡張時には、左本体１０２の上部に設けたロック機構１０７が未使用になるので、任意のものを取り付けても良い。
【００３５】
また、実施の形態２のバッグ１００の開閉を、実施の形態３のバッグ１００のようにファスナーで行うようにしても良い（図示省略）
【００３６】
（実施の形態４）
また、図１４及び図１５に示すように、実施の形態１のフレーム１０３のロック機構１０７の代わりに、ファスナー１０９を用いても良い。即ち、当該バッグ１００は、右本体１０１及び左本体１０２をフレーム１０３の左右に備えた構造である。フレーム１０３は、両側端にファスナー１０９が設けられ、当該ファスナー１０９により伸縮機構１の板体２と連結している。このため、ファスナー１０９を開くことで、右本体１０１及び左本体１０２を開くことができる。ファスナー１０９のスライダの取っ手１１０は、ロック機構１０７により固定される。ロック機構１０７には、上記同様、取っ手１１０を挿入する穴が設けられ、この穴内には筐体内部でスライドするフックが設けられる。このフックは、筐体両側のボタンで開閉動作し、筐体上部のキーで当該ボタンの動作の規制を行う。２つのスライダの取っ手１１０を穴に挿入してロック機構１０７でロックすることで、右本体１０１及び左本体１０２の開閉のロックが可能となる。
【００３７】
その他の構成は、実施の形態１のバッグ１００と同じであるからその説明を省略し、同一構成要素には同一符号を付する。このバッグ４００では、フレーム１０３の左右に右本体１０１及び左本体１０２をファスナー１０９で接続するので、実施の形態２のように伸縮機構１同士をファスナー３０４で接続するよりも高い強度が得られる。
【符号の説明】
【００３８】
１００  バッグ
１０１  右本体
１０２  左本体
１０３  フレーム
１０７  ロック機構
１  伸縮機構
２  板体
３  回転軸
４  ファスナー
【図１】
2015054128.tif 000003
【図２】
2015054128.tif 000004
【図３】
2015054128.tif 000005
【図４】
2015054128.tif 000006
【図５】
2015054128.tif 000007
【図６】
2015054128.tif 000008
【図７】
2015054128.tif 000009
【図８】
2015054128.tif 000010
【図９】
2015054128.tif 000011
【図１０】
2015054128.tif 000012
【図１１】
2015054128.tif 000013
【図１２】
2015054128.tif 000014
【図１３】
2015054128.tif 000015
【図１４】
2015054128.tif 000016
【図１５】
2015054128.tif 000017